(57)【要約】【課題】  クリーンルーム等の照明設備において、除塵のための循環エアの流れに対する悪影響を可及的に低減し、設置コストと運転コストの節減を図る。【解決手段】  複数個の発光ダイオードが並列に装着された基板を収容したケース本体と、前記ケース本体の前面に固着され、前記発光ダイオードからの放射光が透過するカバー板とによって、照明器具の外郭体を構成し、前記外郭体を全体において扁平であって取付け対象面からの突出量が小さい平箱状に形成する。【選択図】    図９
2005353286.tif 000002
【特許請求の範囲】
【請求項１】
複数個の発光ダイオードが並列に装着された基板を収容したケース本体と、前記ケース本体の前面に固着され、前記発光ダイオードからの放射光が透過するカバー板とによって、照明器具の外郭体を構成し、前記外郭体を全体において扁平であって取付け対象面からの突出量が小さい平箱状に形成したクリーンルーム等の照明器具。
【発明の詳細な説明】
【技術分野】
【０００１】
本発明は、空気流の流れを阻害する突出物の存在を嫌うクリーンルーム等の照明器具に関する。
【背景技術】
【０００２】
クリーンルーム設備は、要求される室内の清浄度によって除塵システムが異なるが、基本的には、清浄空気の吹き出し気流方向と循環風量とを変更することによって対応している。例えば液晶装置や精密機械工場及び薬品や食品工場に適用されるクラス１００〜１０００程度の比較的低清浄度のクリーンルームでは、室内に空気調和機と除塵装置が設置されている。この空気調和機で調温調湿されたエアはダクトを通して前記除塵装置に送られ、浮遊する微粒子を高効率で除去された後、清浄エアが室内に吹き出される。
【０００３】
一般に、再生された清浄エアは天井面に沿って吹き出され、天井面近傍に設置した気流方向制御装置によって、清浄エアの下降流を発生させ、清浄度の必要となる作業領域に集中して清浄エアを効率よく循環させている（例えば特許文献１参照）。
この清浄エアの循環過程において問題となるのは、天井面に設備される照明器具の存在によって循環エアの気流に乱れが発生することである。
【０００４】
クリーンルームの照明は、上階のスラブに取り付けた吊ボルトの下端の天井受け部材に照明器具を取り付けている（例えば特許文献２参照）。照明器具としては通常、蛍光灯が使用されているが、この蛍光灯は蛍光ランプ、反射フード及び制御器を含めて全体が天井面の下方空間に突き出して設置されており、天井面と蛍光灯下面との間の距離、すなわち取付け対象面からの突出量は相当に大きいものとなっている。
【０００５】
このように大きく突き出し配置された照明器具は、前記した清浄エアの吹き付け流に対して阻害要因として働き、清浄エアの流れの方向を変えたり、清浄エアを塞き止めて乱流を発生させたりして、本来の意図する作業領域への清浄エアの到達流量を減らし、当該作業領域に新規発生した浮遊微粒子の循環エアへの取込み量を減らし、循環サイクル全体における微粒子の回収効率を低下させることになる。
【０００６】
エア循環に対する上記悪影響を考慮して、照明器具を天井裏空間に配置することも提案されているが（例えば特許文献３参照）、この場合にはランプ光源が天井面より引き込まれている分、照明効率が低下する。作業領域における照度を所期の値に確保するためには、天井面より吊り下げ設置する場合と比較して、照明器具の能力・容量を増大する必要があり、設置コストと運転コストが嵩むことになる。
また、照明器具の設置に当っては、照明光が通過するための開口部を天井面に設けるとともに、天井裏空間における設置工事となるため、設置コストが嵩むものとなっている。
【０００７】
【特許文献１】特開２００２−１６２０７８号公報
【特許文献２】特開２０００-８２３１７号公報
【特許文献３】特開２００２-１０６１９６号公報
【発明の開示】
【発明が解決しようとする課題】
【０００８】
本発明の課題は、クリーンルーム等の照明設備において、除塵のための循環エアの流れに対する悪影響を可及的に低減し、設置コストと運転コストの節減を図ることにある。
【課題を解決するための手段】
【０００９】
本発明のクリーンルーム等の照明器具では、複数個の発光ダイオードが並列に装着された基板を収容したケース本体と、前記ケース本体の前面に固着され、前記発光ダイオードからの放射光が透過するカバー板とによって、照明器具の外郭体が構成され、前記外郭体は全体において扁平であって取付け対象面からの突出量が小さい平箱状に形成される。
【発明の効果】
【００１０】
本発明の照明器具では、照明器具の外郭体は、発光ダイオードの装着基板を収容したケース本体と、前記ケース本体の前面に固着したカバー板とで構成され、全体において扁平であって取付け対象面からの突出量が小さい平箱状に形成されているため、前記循環エアが照明器具の設置箇所において流れの方向を大きく変えられたり、循環エアが過度に塞き止められて乱流を生じさせたりすることが大幅に抑制、低減させられる。そのため、空気調和機の送風量を増大させなくとも、所要量の循環エアを所定の作業領域に送ることができ、クリーンルーム等の室内の除塵サイクルを効率よく行なうことができる。
【００１１】
本発明の照明器具では、光源として消費電力の少ない発光ダイオードを使用しているから運転コストが良く、また、複数個の発光ダイオードは天井面に沿って面状に展開して並設されているから照明効率が良い。
照明器具の設置に当っては、天井面に照明光通過用の開口部を形成する必要がなく、天井面下方空間からの設置工事だけで済むため、設置コストを節減することができる。
【００１２】
本発明の照明器具は上記のように取付け対象面（一般的には天井面）からの突出量が小さいから、照明器具のためにクリーンルーム等の室内空間を無駄に使うことがなく、室内空間を最大限に有効に利用することができる。
【実施例】
【００１３】
図１から図９に示した実施例では、発光ダイオード１は千鳥状に複数列に配置して基板２に装着され、リード線１２によって外部の直流電源に接続されている。発光ダイオード１の種類と性能は照明器具の用途に応じて適宜選択される。例えば、（ａ）ＺｎＳｅ系の青緑色ＬＥＤからの青緑色光で導電性基板中の深い準位を励起し、白色光を得るようにしたＺｎＳｅ系の白色発光ダイオード、（ｂ）ＧａＮ系の青色ＬＥＤからの青色光を用いて蛍光材を励起し、白色光を得るようにしたＧａＮ系の白色発光ダイオード、（ｃ）青、緑、赤色の単発色ＬＥＤを組み合わせた方式の白色発光ダイオード等がある。
【００１４】
発光ダイオード１の配線用基板２は、ケース本体４の内底面の四隅部に突出形成された台座用ボス部３に嵌め込み固定されている。透明または半透明のアクリル樹脂板などからなるカバー板５は、外側に向かって凸型に湾曲形成されており、合計４本の連結用ビス６によってケース本体４に防水仕様により締付け固着されている。カバー板５は内面側の突起部１４で基板２を押え付けている。
【００１５】
ケース本体４とカバー板５とからなる外郭体７は、２本の取付用ビス８によって取付け対象面９（クリーンルームの天井面）に締付け固着される。取付用ビス８の頭部は、カバー板５の正面溝部１０に嵌め入れた化粧キャップ板１１によって隠蔽されている。
外郭体７は横長のフラットな箱形状に構成されており、その横寸法は１２０ｍｍ，縦寸法は５５ｍｍ，高さ寸法は１５ｍｍとなっている。
【００１６】
ケース本体４の外面には、縦横に通気溝１３が形成されている。発光ダイオード１から放出された熱は、通気溝１３を通過する循環エアによって取り去られる。
【図面の簡単な説明】
【００１７】
【図１】本発明の一実施例に係る照明器具の正面図である。
【図２】図１の照明器具の左側面図である。
【図３】図１の照明器具の底面図である。
【図４】図１の照明器具の平面図である。
【図５】図１のＡ−Ａ線断面図である。
【図６】図３のＢ−Ｂ線断面図である。
【図７】図３のＣ−Ｃ線断面図である。
【図８】図３のＤ−Ｄ線断面図である。
【図９】図１の照明器具の使用状態の縦断面図である。
【符号の説明】
【００１８】
１  発光ダイオード
２  基板
３  台座用ボス部
４  ケース本体
５  カバー板
６  連結用ビス
７  外郭体
８  取付用ビス
９  取付け対象面
１０  正面溝部
１１  化粧キャップ板
１２  リード線
１３  通気溝
１４  内面突起部
【図１】
2005353286.tif 000003
【図２】
2005353286.tif 000004
【図３】
2005353286.tif 000005
【図４】
2005353286.tif 000006
【図５】
2005353286.tif 000007
【図６】
2005353286.tif 000008
【図７】
2005353286.tif 000009
【図８】
2005353286.tif 000010
【図９】
2005353286.tif 000011